(57)【特許請求の範囲】
【請求項１】
特にヒトの皮膚から毛髪を引き抜くための、脱毛装置（１）のための脱毛ヘッド（３）であって、回転軸（２０）回りに回転する回転シリンダー（５）を有し、前記回転シリンダー（５）が、毛髪を掴み引き抜くための多数の引き抜きユニットと、皮膚配向された表面（１０）とを有し、それぞれの引き抜きユニットが、可動クランプユニット（１２）と、定置クランプユニット（１３）とを有し、前記可動クランプユニット（１２）及び前記定置クランプユニット（１３）は、閉鎖可能な引き抜き間隙（１６）を形成し、前記可動クランプユニット（１２）は皮膚接触面を有し、前記可動クランプユニット（１２）の前記皮膚接触面の総面積が、前記皮膚配向された表面の面積の５％超であることを特徴とする、脱毛ヘッド（３）。
【請求項２】
前記定置クランプユニット（１３）もまた、皮膚接触面を有し、前記定置クランプユニット（１３）の前記皮膚接触面の総面積が、前記皮膚配向された表面の面積の５％超である、請求項１に記載の脱毛ヘッド（３）。
【請求項３】
前記可動クランプユニット（１２）が、皮膚接触面を有し、前記可動クランプユニットの前記皮膚接触面の総面積を有し、
前記定置クランプユニット（１３）が、皮膚接触面を有し、前記定置クランプユニット（１３）の前記皮膚接触面の総面積を有し、
前記可動クランプユニットの前記皮膚接触面と前記可動クランプユニット（１２）の前記皮膚接触面の合計が、前記皮膚配向された表面の面積の１０％超である、請求項２に記載の脱毛ヘッド（３）。
【請求項４】
それぞれの可動クランプユニット（１２）が、少なくとも２ｍｍ２の皮膚接触面を有する、請求項１〜３のいずれか一項に記載の脱毛ヘッド（３）。
【請求項５】
それぞれの定置クランプユニット（１３）が、少なくとも２ｍｍ２の皮膚接触面を有する、請求項１〜４のいずれか一項に記載の脱毛ヘッド（３）。
【請求項６】
追加の可動クランプユニット（１１）を有し、当該追加の可動クランプユニット（１１）が、前記可動クランプユニット（１２）と共に追加の閉鎖可能な引き抜き間隙（１４）を形成し、前記追加の可動クランプユニット（１１）もまた、少なくとも２ｍｍ２の皮膚接触面を有する、請求項１〜５のいずれか一項に記載の脱毛ヘッド（３）。
【請求項７】
前記可動クランプユニット（１２）及び／又は前記追加の可動クランプユニット（１１）は、支持体（３４）に沿って互いに軸方向に配置される、請求項６に記載の脱毛ヘッド（３）。
【請求項８】
前記クランプユニットは、プラスチックで作製されている、請求項１〜７のいずれか一項に記載の脱毛ヘッド（３）。
【請求項９】
手持ち式のハウジング（２）及びモータ駆動脱毛ヘッド（３）を有し、前記脱毛ヘッド（３）が請求項１〜８のいずれか一項によって設計されていることを特徴とする、特にヒトの皮膚から毛髪を引き抜くための、脱毛装置（１）。
【発明の詳細な説明】
【技術分野】
【０００１】
本発明は、特にヒトの皮膚の毛髪を引き抜くための、脱毛装置のモータ駆動脱毛ヘッドに関する。本発明は更に、脱毛装置に関する。
【背景技術】
【０００２】
脱毛装置は、毛髪を、可能な場合、その毛根を含めて除去するのに役立つ。既知の脱毛装置は、例えば、毛髪が隣接するクランプ要素の間に掴持され、皮膚に対してクランプ要素の運動によって引き抜かれるような様式で設計されている。これは典型的に、クランプ要素が、毛髪を捕獲するためにいずれの場合にも所定の位置で閉じられ、掴持された毛髪と共に閉じられた状態で別の所定の位置に移動させられ、次に、引き抜かれた毛髪を解放するために再び開かれることを必要とする。この運動のパターンを実行するために、クランプ要素は、例えば、電動モータによって回転するように設定される回転シリンダー上に配置され得る。クランプ要素の開閉は、様々な様式で設計され得る制御機構によって制御される。概して、この制御機構は、クランプ要素が閉じられ、又は開かれるように、クランプ要素に作用する作動要素を有する。
【０００３】
この形の回転シリンダーは、例えば、欧州特許第５４７  ３８６  Ａ号で既知である。脱毛装置としてそこで開示されている回転シリンダーは、可動クランプ要素が作動要素と連結されるような様式で設計されている。このクランプ要素は、引き抜き運動を実行するために互いに向かって移動し得る。この工程では、１つのクランプ要素がいずれの場合にも、左及び右から中心のクランプ要素に向かって移動する。
【０００４】
更に、脱毛装置は、作動要素がロッドの形態で設計され、回転シリンダーのシャフトの周囲に配置される、欧州特許第１  ２０３  ５４４  Ａ１号で既知である。ロッドは全て、クランプ要素が開かれた状態に向かう方向にロッドによってプレテンションされるような様式で単一の戻しバネに連結される。クランプ要素を閉じるために、ロッドは、クランプ要素が戻しバネのバネ力を乗り越えることによって軸方向に移動させられるような様式で作動される。これらは、ロッドの作動されていない状態の間、戻しバネの作用によって移動させられ、クランプ要素が結果として開かれる。
【０００５】
請求項１に記載の特徴の組み合わせによって、この目的が実現される。
【先行技術文献】
【特許文献】
【０００６】
【特許文献１】欧州特許第５４７  ３８６  Ａ号
【特許文献２】欧州特許第１  ２０３  ５４４  Ａ１号
【発明の概要】
【発明が解決しようとする課題】
【０００７】
本発明の目的は、可能な限り完全かつ無痛の脱毛工程を実現するために、関連する時間及び努力の消費を適度に保ちつつ、脱毛装置に数多くのクランプ要素を有することである。そのようにすることで、脱毛は、濃い発毛及び薄い発毛を有する皮膚の両方に有効であるべきである。
【課題を解決するための手段】
【０００８】
本発明は、特にヒトの皮膚から毛髪を引き抜くための、脱毛装置のための脱毛ヘッドであって、回転軸回りに回転する回転シリンダーを有し、回転シリンダーが、毛髪を掴み引き抜くための多数の引き抜きユニットと、皮膚配向された表面とを有し、それぞれの引き抜きユニットが、可動クランプユニットと、定置クランプユニットとを有し、可動クランプユニット及び定置クランプユニットは、閉鎖可能な引き抜き間隙を形成し、可動クランプユニットは皮膚接触面を有し、可動クランプユニットの皮膚接触面の総面積が、皮膚配向された表面の面積の５％超であることを特徴とする、脱毛装置のための脱毛ヘッドに関する。
【０００９】
特にヒトの皮膚の毛髪を引き抜くための脱毛装置の、本発明による脱毛ヘッドは、回転軸回りに回転することができる回転シリンダーを有する。多数の引き抜き間隙が、毛髪を引き抜くための回転シリンダー上に設けられる。本発明によれば、第２の閉鎖可能な引き抜き間隙が、第１の閉鎖可能な引き抜き間隙に隣接して見出される。第１の閉鎖可能な引き抜き間隙は、第１のクランプ要素及び第２のクランプ要素によって決定される。これらのクランプ要素は、したがって、この工程では引き抜き間隙を閉じ、任意に少なくとも１つの毛髪を引き抜くために、互いに向かって移動することができる。第２のクランプ要素は、類似の様式で第３のクランプ要素と共に、第２の閉鎖可能な引き抜き間隙を形成することができる。
【００１０】
本発明は、より皮膚に優しい脱毛ロールを提供する。特定の機械的設定は、脱毛ロールの皮膚接触面をより使いやすく設計することを可能にする。本発明によれば、可動クランプユニットは、皮膚接触面を有する。これは、脱毛ヘッドの通常操作中、皮膚と接触させる表面である。それぞれのクランプユニットのそれぞれの皮膚接触面は、一定面積を有する。可動クランプユニットの皮膚接触面の総面積は、単独の皮膚接触面の面積の合計として得られ得る。
【００１１】
それぞれの総面積は、回転シリンダーの皮膚配向された表面の面積と比較して、比較的大きくなければならない。回転シリンダーの皮膚接触面は本質的に、シリンダーの曲げられた表面である（したがって、シリンダーの円形の上面領域及び底面領域の表面が追加されるべきではない）。脱毛シリンダーの皮膚配向された表面を限定すると仮定すると、それを効率的に使用することが重要である。脱毛ヘッドの皮膚配向された表面の任意の面積のいくらか又はほとんどが潜在的に、皮膚と接触する可能性があると仮定すると、この接触が皮膚に優しいことが更に重要である。可動クランプユニットの皮膚接触面の十分に高い総面積は、例えば、それぞれの総面積が皮膚配向された表面の面積の２％、５％、１０％、１５％、又は２０％超であり得て、有用であることが本発明に関連して見出されてきた。
【００１２】
類似の効果は、例えば、それぞれの総面積が皮膚配向された表面の面積の２％、５％、１０％、１５％、又は２０％超であり得る、定置クランプユニットの皮膚接触面の十分に大きな総面積を有することに関して実現される。
【００１３】
更なる効果は、両方の総面積が先行技術と比較して、比較的大きい場合、可動クランプユニットの皮膚接触面と可動クランプユニット（１２）の皮膚接触面との合計が、皮膚配向された表面の面積の２％、５％、１０％、１５％、又は２０％超であると実現される。
【００１４】
更なる態様では、面積が少なくとも１、又は２、又は５、又は１０ｍｍ２（しかし通常それらは２０ｍｍ２未満であるべきである）よりも大きい単独の皮膚接触面を有することが有益である。
【００１５】
十分に大きく、かつ皮膚に優しい表面を有するそのようなクランプユニットを提供するための材料として価値のあるものは、ポリプロピレン及びポリエチレン等のプラスチック材料である。言うまでもなく、材料の選択だけでなく、本明細書で更に記載されるように機械的設定も重要である。
【００１６】
それは、第１のクランプ要素及び第２のクランプ要素が可動的に取り付けられることが有用であり得る。第１のクランプ要素及び第２のクランプ要素は、作動要素によって一緒に作動され得るべきである。これは、第１の引き抜き間隙及び第２の引き抜き間隙を閉じるのに役立つ。この目的のため、作動要素は、例えば、第１のクランプ要素に圧力を加えることができ、それによって、それを第２のクランプ要素に向かって移動させる。これは、第１の引き抜き間隙を閉じさせる。作動要素は、第２のクランプ要素がまた、第３のクランプ要素に向かって移動されるような様式で移動し続けることができ、第２の引き抜き間隙もまた、本質的に連続運動で同じ作動要素によって、第１の引き抜き間隙の後に又は第１の引き抜き間隙と同時に、この様式で閉じられる。
【００１７】
本発明によれば、第１のクランプ要素及び第２のクランプ要素は、第１の引き抜き間隙及び第２の引き抜き間隙を閉じる工程の間、同じ方向に移動するものである。同じ方向への第１のクランプ要素及び第２のクランプ要素の運動は、多くの利点を有する。１つには、この運動の順序は、非常に小型であるように回転シリンダーを設計することを可能にする。結果として、回転シリンダーは、小型の脱毛装置が設けられ得るように、小さな全体寸法を有し得る。更に、いくつかのクランプ要素及びそれ故のいくつかの引き抜き間隙は、一定寸法の回転シリンダー上に位置し得る。
【００１８】
別の態様では、引き抜き間隙は概して、必要に応じてたびたび閉じられ、再び開かれることができ、クランプ要素は、開口工程の間、閉じる運動の方向と反対方向に移動する。この開口運動は、クランプ要素が十分に大きな空隙に開くことができることを必要とする。この空隙が２つの方向に開口運動に利用される必要があるとき、対応する回転シリンダーは、本発明による開口運動と同様に小型であることができず、即ち、これほど多くの引き抜き間隙を、一定寸法の回転シリンダー上に設けることができない。
【００１９】
更に、同じ方向での第１のクランプ要素と第２のクランプ要素との複合運動は、この運動の種類、又は特に有効なクランプ力を互いに連結することを可能にする。第１のクランプ要素及び第２のクランプ要素が共通の作動要素によって同じ方向に移動されるとき、回転シリンダーは、毛髪がいくつかの引き抜き間隙にねじ込まれると、クランプ力の自己増幅がもたらされる様式で設計され得る。例えば、いくつかの毛髪が第１の引き抜き間隙にねじ込まれる場合、第１のクランプ要素と第２のクランプ要素との間の空隙は、部分的にのみ閉じる。これは、作動要素の所定の運動距離によって、第２のクランプ要素が第３のクランプ要素に対して増大した圧力で押し付けられる効果を有する。特に濃い発毛を有する皮膚の領域を脱毛するとき、これは、両方の引き抜き間隙が特に高いクランプ力を及ぼす効果を有する。この様式で、非常に濃い発毛を有する皮膚の領域からの毛髪が特に効率的に除去される。これはまた、装置を特に濃い発毛を有する皮膚の領域に有効にし、生じる引き抜き力の自動調整の種類を処理されるべき皮膚の領域に割り当てる。
【００２０】
第１のクランプ要素及び第２のクランプ要素が単一の構成要素として設計されるときに有利である。１つには、クランプ要素は、この様式で軽量にされ、不活性質量がほとんどなく、迅速に互いに向かって移動することができる。更に、記載されたクランプ力の自己増幅は、残りのクランプ要素から独立して、異なる隣接する引き抜き間隙に対して別々に開発することができる。
【００２１】
第３のクランプ要素が定置式であるときにもまた有利である。この様式で、第３のクランプ要素は、第１のクランプ要素及び／又は第２のクランプ要素によってもたらされる高圧に耐えることができる。更に、記載されたクランプ力の自己増幅効果は次に、第１の引き抜き間隙及び第２の引き抜き間隙内の毛髪の数に大部分依存するようになる。更に、ほとんどの部分が可動的ではないデバイスは、機械的により単純であり、したがって生産するための費用効率もより高い。
【００２２】
更に、それは、作動要素から独立して第１のクランプ要素及び第２のクランプ要素に作用する第１のバネ要素が、第１の引き抜き間隙を開くための設けられるときに有利である。あるいは又は加えて、作動要素から独立して第２のクランプ要素及び第３の要素に作用する第２のバネ要素は、第２の引き抜き間隙を開くためにも設けられる。これに関連するバネ要素は、つる巻きバネの形態で有利に設計され得る。つる巻きバネは、長い耐用年数を有し、動的に迅速な運動のサイクルでさえ、適切なバネ力をもたらす。
【００２３】
本発明は、第１のクランプ要素の選択された配置によって、利用可能な空隙が非常に良好に利用され得て、結果として、第１のクランプ要素及び第２のクランプ要素の多くの対が、本発明による脱毛ヘッド内に位置することができる、利点を有する。多くのクランプ要素の対は、脱毛工程全体が比較的無痛工程であるように、ほぼ連続的な毛髪の引き抜きを可能にする。バネ要素が作動要素から独立して第１のクランプ要素に作用するため、大きな開口幅が非常に迅速に実現され得る。これは順に、非常に徹底的な脱毛を可能にする。
【００２４】
この脱毛ヘッドでは、回転シリンダーの回転軸は、延在することができ、本発明に関連して、好ましくは第１のクランプ要素の外側に延在する。これの１つの利点は、回転シリンダーの回転軸に最大限に延在する第１のクランプ要素はそれ故に、比較的小さく、したがって低質量を有することである。これは、その運動力学に良い効果をもたらし、比較的低い騒音発生を有する本発明による脱毛ヘッドの操作を可能にする。
【００２５】
回転シリンダーの改善された機械的構造、特にクランプ力の自己増幅効果もまた、本発明に関連して、クランプ要素の一部、又は更にはプラスチックからクランプ要素の全てを生産することを可能にする。
【００２６】
第３のクランプ要素は、回転シリンダー内に強固に配置され得る。結果として、この機械的構造は、単純化され、小さな全体寸法のみが必要とされる。具体的には、いくつかの第２のクランプ要素は、いずれの場合にも共通の支持体の上に配置される。この場合では、第２のクランプ要素が支持体の円周を超えて互いに軸方向にオフセットして分配されるときに、特に有利である。連続的な引き抜き領域は、引き抜き工程が高速で連続的に生じる、この様式で実行され得る。作動要素は好ましくは、軸方向に第１のクランプ要素を突くロッドの形態で設計される。そのようなロッドは、非常に費用効率良く生産され得て、第１のクランプ要素の作動のための非常に単純かつ頑丈な機械的構造を可能にする。
【００２７】
第１のクランプ要素及び第２のクランプ要素は、小さな寸法にもかかわらず高い機械的荷重を吸収することができるように、金属で製造される可能性があり、その硬度により、確実に毛髪を掴持することができる。しかしながら、第１のクランプ要素及び第２のクランプ要素は好ましくは、プラスチックで製造される。この様式で、非常に費用効率が高い生産が可能である。加えて、本発明による脱毛ヘッドの重量は、比較的低く保たれ得る。更なる利点は、第１のクランプ要素のストライキングの間、騒音及び振動減衰にある。
【００２８】
加えて、本発明は、特にヒトの皮膚の毛髪を引き抜くための脱毛装置に関し、本発明による手持ち式のハウジング及び脱毛ヘッドを備える。
【図面の簡単な説明】
【００２９】
以下の図面に示される例示の実施形態によって、本発明が更に詳細に説明される。
【図１】典型的な脱毛装置であるが、本発明に従って細部まで設計されていない、例示の実施形態の側面図。
【図２】本発明による回転シリンダーを介する断面図。
【図３】本発明による同じ回転シリンダーの分解図。
【図４】本発明による同じ回転シリンダーの斜視図。
【図５】回転シリンダーのためのクランプ要素の拡大断面図。
【図６】開いた引き抜き間隙で示される、クランプ要素の操作様式の概略図。
【図７】閉じた引き抜き間隙で示される、クランプ要素の操作様式の概略図。
【発明を実施するための形態】
【００３０】
図１は、一般的なタイプの典型であるが、本発明に従って細部まで設計されていない、脱毛装置１の例示の実施形態の側面図を示す。脱毛装置１は、ハウジング２を有する。このハウジングは典型的に、モータ及び電源アダプタを有する。加えて、それは、歯車ユニットも有し得る。ハウジング２の上に配置されているのは、脱毛ヘッド３である。この装置の更なる主要構成要素はスイッチ４であり、このハウジングの前面の中央に配置される。このスイッチで、回転シリンダー５が次に、脱毛工程を実施するために発動され得る。回転シリンダー５は、例えばその外側壁上に、適切な駆動要素を介して（場合により歯車ユニットも介して）モータに連結され得る歯車を有し得る。この描写された回転シリンダーは、多数の引き抜きユニットを有するが、そのそれぞれが、１つの閉鎖可能な引き抜き間隙のみ及び２つのクランプ要素のみを有しており、したがって本発明に従って設計されていない。しかしながら、この描写された回転シリンダー５は、この回転シリンダーが数多くの従来の脱毛装置及び脱毛ヘッドと適合するため、本発明による回転シリンダーと容易に置き換えられ得る。
【００３１】
図２は、本発明による回転シリンダー５を介する断面図を示す。まず初めに、この回転シリンダーは、周囲面１０を有する。第１のクランプ要素１１、隣接する第２のクランプ要素１２、及び隣接する第３のクランプ要素１３、並びに特にそれらの外表面は、この周囲面１０と本質的にぴったり重なる。第１の引き抜き間隙１４は、第１のクランプ要素１１と第２のクランプ要素１２との間に設けられる。第２の引き抜き間隙１６は、第２のクランプ要素１２と第３のクランプ要素１３との間に設けられる。この３つのクランプ要素がこの囲まれた２つの引き抜き間隙と共に、毛髪を掴み引き抜くための引き抜きユニットを形成する。回転シリンダー５は、その上に配置される多数のそのような引き抜きユニットを有する。それらの全ては、周囲面１０と本質的にぴったり重なる。それらは、軸方向及び／又は半径方向にオフセットして配置され得る、及び配置されることが好ましい。
【００３２】
回転シリンダー５は、２つの横方向の側面１８によって横方向に隣接する。回転シリンダー５は、中心軸２０を囲む。プッシュロッド２２は、側面を通じて回転シリンダー５の中に横方向に突出する。プッシュロッド２２は、作動され、即ち、回転シリンダー５の中により深く押し込められ得るプッシャヘッド２４を有する。
【００３３】
プッシュロッド２２の形態の作動要素に押し込むと同時に、クランプ要素は、引き抜き間隙が閉じるように、互いに向かって移動される。バネは、引き抜き間隙の開口を実行し、プッシュロッド２２の復帰運動も実行する。第１の引き抜き間隙１４は、第１のバネ要素２６によって再び開かれ得る。第２の引き抜き間隙１６は、第２のバネ要素２８によって再び開かれ得る。バネ要素は、例えば、第１のつる巻きバネ及び第２のつる巻きバネの形態で設計され得る。
【００３４】
有利な実施形態では、回転シリンダー５は、重ねて配置されている多数のディスクからなる。図２に描写された回転シリンダーは、外側つかみ具３０を使用して組み立てられ得る。外側つかみ具３０は、ストップディスクのように機能する。それには、可動クランプ要素のための端止めが設けられる。本発明に関連して、そのような端止めは、第３のクランプ要素１３として更に機能を果たすように（任意に）設計され得る。
【００３５】
誘導ディスク３４の形態の支持体は、外側つかみ具及び端止めの間に設けられる。この誘導ディスクの形状は、クランプ要素の誘導及び固着を可能にする。
【００３６】
本発明による回転シリンダー５の設計は、図３の分解図においても特によく見ることができる。左側に見えるのは、多数のプッシュロッド２２を担持する外側つかみ具３０である。外側つかみ具３０に隣接するのは、例として強調されるクランプ要素４０のクランプ要素の第１の層である。このクランプ要素はまた、プッシャフィードスルー３８を有する。プッシュロッド２２は、これらのフィードスルー３８を通じて引き出され、作動要素としてプッシュロッド２２によって作動される１つのフィードスルー３８のみを提供するクランプ要素なしで、更なる内側に位置するクランプ要素上に力を及ぼすことができる。加えてクランプ要素４０のリングは、回転軸フィードスルー３６があるような様式で配置される。そのような回転軸フィードスルーは、回転シリンダーの層の全てに設けられる。クランプ要素４０の層に隣接するのは、誘導ディスク３４である。この誘導ディスク３４内に、またその中央にも設けられるのは、回転軸フィードスルー３６（この分解図の記載では、互いに同一又は類似である構成要素は、同じ参照記号によって示される）である。クランプ要素４０の層と対照的に、このディスクは一体型部品である。このディスクに隣接するのは、クランプ要素である。これらのクランプ要素は再び、層を形成するが、連結されない。更なる隣接する要素は、右方向に、更なるストップディスク３２、クランプ要素４０の更なる層、更なる誘導ディスク３４など、同様にプッシュロッド２２を有する外側つかみ具３０である。
【００３７】
図４は、本発明による同じ回転シリンダー５の斜視図を提供する。この図は、回転シリンダー５の周囲面の本質的部分である。回転シリンダー５の有利な構造により、この周囲面１０は、特に数多くの引き抜きユニットを収容することができる。異なるクランプユニットのうちの第１のクランプ要素１１、第２のクランプ要素１２、及び第３のクランプ要素１３は、いずれの場合にも例として示される。互いに同一又は類似である構成要素は、いずれの場合にも対応する参照記号によって示される。
【００３８】
図５は、クランプ要素の拡大断面図を提供する。更によく見え得るように、第１の引き抜き間隙１４は、第１のクランプ要素１１と第２のクランプ要素１２との間に設けられる。第２の引き抜き間隙１６は、第２のクランプ要素１２と第３のクランプ要素１３との間に設けられる。この３つのクランプ要素がこの囲まれた２つの引き抜き間隙と共に、毛髪を掴み引き抜くための引き抜きユニットを形成する。クランプ要素１２及び１３は、毛髪誘導デバイス６０と組み合わせられる。クランプ要素がその上面に十分な面積を有する限り、可動クランプ要素の上面に取り付ける毛髪誘導デバイス６０を有することが可能である。可動クランプ要素１２に示されるように、上昇した構造６４Ａがくぼみ６２の左に設けられ、上昇した構造６４Ｂがくぼみ６２の右に設けられる。
【００３９】
くぼみの底面部分は、例えば、クランプ要素１２のくぼみ６２の底面部分７０Ａからクランプ要素１３の底面部分７０Ｂに及ぶ、基準面７０を画定する。要素は、上昇面からこれらの基準面の上である。概して、基準面７０の上の平均的な上昇高さは、上昇面７２を画定する。図５に示される状況では、全ての上昇部は、上昇面がクランプ要素の上昇した構造の外表面の高さに対応し、したがって部分７２Ａ、部分７２Ｂ、及び部分７２Ｃを連結するように、基準面の上に本質的に同じ高さを有する。
【００４０】
図６及び７は再び、回転シリンダー５の操作様式を概略的に示す。脱毛シリンダー５の部分は、ガイド５２として簡略化した様式で描写される。そのようなガイドは、例えば、隣接する誘導ディスク３４と組み合わせてストップディスク３２によって設けられ得る。しかしながら、他の種類のガイドもまた可能である。このガイドは、少なくともその外端部で、即ち、クランプ表面４８を有するクランプつかみ具４６の領域で、クランプ要素４０の変位を有利に可能にする。この運動は、一部分において回転運動（図のように）又は横方向変位でもあり得る。脱毛工程の間、毛髪は、第１の引き抜き間隙１４及び第２の引き抜き間隙１６に送り込まれ得る。可動の第１のクランプ要素及び可動の第２のクランプ要素１２は、１つの面から作用する力によって定置式の第３のクランプ要素に向かって移動され得る。この工程では、第１の引き抜き間隙１４及び第２の引き抜き間隙１６が閉じる。このように、クランプ力が増大され、それによって次に毛髪が引き抜かれ得る。クランプ力が所定の作動要素の振幅運動によって作動される範囲において、第２の引き抜き間隙１６に作用する力は、第１の引き抜き間隙１４内に既に位置する毛髪の数と共に増大する。これは、脱毛を特に効率化する増幅効果につながる。
【００４１】
本明細書に開示した寸法及び値は、記載された正確な数値に厳密に限定されるものとして理解されるべきでない。むしろ、特に断らないかぎり、そのような寸法はそれぞれ、記載された値及びその値周辺の機能的に同等の範囲の両方を意味するものとする。例えば、「４０ｍｍ」として開示された寸法は、「約４０ｍｍ」を意味するものとする。
【図１】
0005805785.tif 000002
【図２】
0005805785.tif 000003
【図３】
0005805785.tif 000004
【図４】
0005805785.tif 000005
【図５】
0005805785.tif 000006
【図６】
0005805785.tif 000007
【図７】
0005805785.tif 000008
【図８】
0005805785.tif 000009